(57)【要約】各所に表示装置１０を多数設置し、それにパソコン２０を接続してネットワーク３０を介してサーバに接続する。サーバ４０は、画像や文字情報を格納して表示装置１０にコンテンツを配信する配信サーバ４１と、システムの運用を管理する管理サーバ４２で構成する。以上より、よりタイムリーで注目度の高い広告・宣伝ツール用の電子ポスターシステムが構成される。
2002005250.tif 000002
【特許請求の範囲】
【請求項１】
コンピュータ制御の表示装置を各所に設置し、
これらの表示装置にネットワークを介してコンテンツを配信するサーバを接続すると共に、
各表示装置には時間別に割当てた複数のコンテンツを順に掲示する時間別掲示手段を備え、
しかしてこれらの表示装置を広告・宣伝のマスメディアとして不特定多数の閲覧者にさまざまなコンテンツを時間別に掲示してなる電子ポスターシステム。
【請求項２】
前記表示装置に画面を分割して複数のコンテンツを同時に掲示する画面分割掲示手段を備えてなる請求項１記載の電子ポスターシステム。
【請求項３】
前記表示装置に画面をオーバラップさせて複数のコンテンツを同時に掲示するオーバラップ掲示手段を備えてなる請求項１記載の電子ポスターシステム。
【請求項４】
前記表示装置に掲示すべきコンテンツを装置別に割当てる装置別コンテンツ割当手段を備えてなる請求項１記載の電子ポスターシステム。
【請求項５】
前記表示装置に掲示すべきコンテンツのスケジュールを装置別に割当てる装置別スケジュール割当手段を備えてなる請求項１記載の電子ポスターシステム。
【請求項６】
前記表示装置に利用者の指定したコンテンツを呼出して掲示するコンテンツ呼出し手段を備えてなる請求項１記載の電子ポスターシステム。
【請求項７】
前記表示装置にコンテンツのコピーを印刷するコピー印刷手段を備えてなる請求項１記載の電子ポスターシステム。
【請求項８】
前記表示装置に利用者の配信したコンテンツを掲示する利用者コンテンツ掲示手段を備えてなる請求項１記載の電子ポスターシステム。
【請求項９】
前記表示装置に利用者の情報端末に音声および文字・画像などの情報を配信する情報配信手段を備えてなる請求項１記載の電子ポスターシステム。
【請求項１０】
前記表示装置に利用料の課金手段を備えてなる請求項１記載の電子ポスターシステム。
【発明の詳細な説明】
技術分野
本発明は、従来の看板や貼紙の代わりにコンピュータ制御のインテリジェントな表示装置を広告・宣伝のマスメディアとし、この表示装置にネットワークを介してさまざまなコンテンツを広範囲に供給する電子ポスターシステムに関する。
背景技術
従来のポスターは、一般に広告・宣伝用のコピーを印刷して街頭や駅構内など人の多く集まる場所に貼紙するものであった。
このため、制作や印刷に多くの手間と費用を費やすばかりでなく、出来上がるまでにかなりの日数を要した。
また、ポスターを貼りかえるのに多くの人手を必要とし、時間もかかるので、こまめに貼りかえるのは困難で、ポスターを介して常時タイムリーな情報伝達を行うことは不可能であった。
また、一度貼紙したポスターは長い間変わらないことが多いので、最初はインパクトがあっても直ぐに飽きられて注目されなくなるという問題があった。
そこで本発明は、従来の紙という概念を覆して、ポスターをデジタルコンテンツの表示媒体で構成することにより、印刷や貼りかえなどの手間を省き、よりタイムリーで注目度の高い広告・宣伝ツールにすることを目的になされたものである。
発明の開示
かかる目的を達成するために、本発明は以下のように構成した。
すなわち、請求項１の発明は、コンピュータ制御の表示装置を各所に設置し、
これらの表示装置にネットワークを介してコンテンツを配信するサーバを接続すると共に、
各表示装置には時間別に割当てた複数のコンテンツを順に掲示する時間別掲示手段を備え、
しかしてこれらの表示装置を広告・宣伝のマスメディアとして不特定多数の閲覧者にさまざまなコンテンツを時間別に掲示してなる電子ポスターシステムである。
請求項２の発明は、前記表示装置に画面を分割して複数のコンテンツを同時に掲示する画面分割掲示手段を備えてなる請求項１記載の電子ポスターシステムである。
請求項３の発明は、前記表示装置に画面をオーバラップさせて複数のコンテンツを同時に掲示するオーバラップ掲示手段を備えてなる請求項１記載の電子ポスターシステムである。
請求項４の発明は、前記表示装置に掲示すべきコンテンツを装置別に割当てる装置別コンテンツ割当手段を備えてなる請求項１記載の電子ポスターシステムである。
請求項５の発明は、前記表示装置に掲示すべきコンテンツのスケジュールを装置別に割当てる装置別スケジュール割当手段を備えてなる請求項１記載の電子ポスターシステムである。
請求項６の発明は、前記表示装置に利用者の指定したコンテンツを呼出して掲示するコンテンツ呼出し手段を備えてなる請求項１記載の電子ポスターシステムである。
請求項７の発明は、前記表示装置にコンテンツのコピーを印刷するコピー印刷手段を備えてなる請求項１記載の電子ポスターシステムである。
請求項８の発明は、前記表示装置に利用者の配信したコンテンツを掲示する利用者コンテンツ掲示手段を備えてなる請求項１記載の電子ポスターシステムである。
請求項９の発明は、前記表示装置に利用者の情報端末に音声を配信する音声配信手段を備えてなる請求項１記載の電子ポスターシステムである。
請求項１０の発明は、前記表示装置に利用料の課金手段を備えてなる請求項１記載の電子ポスターシステムである。
発明を実施するための最良の形態
以下に図面を参照して本発明の実施の形態について説明する。
図１に、本発明を実施した電子ポスターシステムの構成図を示す。
電子ポスターシステムは、人の多く集まる各所に表示装置１０を多数設置し、それにパソコン２０を接続してネットワーク３０を介してサーバ４０に接続する。
また、ゲートウェイ５０を介して携帯電話網６０に接続し、基地局７０を介して利用者の携帯電話８０を無線接続する。
表示装置１０は、ＰＤＰ（プラズマディスプレイ）をはじめ、プロジェクタ、液晶ディスプレイ、ＬＥＤ／蛍光管などの装置を設置場所に合わせて選択する。
また、固定場所に設置することを基本とするが、車輛などに搭載して移動可能に設置してもよい。
パソコン２０は、ディスプレイ端子に表示装置１０を接続して表示を制御し、その他、タッチパネル式のキー入力装置２１、バーコードリーダ２２、プリンタ２３、料金箱２４、リモコン装置２５、スピーカ２６、ＴＶ・ＦＭ受信機２７を接続する。
リモコン装置２５は、赤外線を使用してデータ転送を行うＩｒＤＡや、短距離ラジオを使用して無線通信を行うＢｌｕｅｔｏｏｔｈなどの技術を応用して表示装置１０を遠隔操作する。
ＴＶ・ＦＭ受信機２７は、ネットワーク３０をＴＶ放送網あるいはＦＭ放送網で構成する場合に使用する。
パソコン２０は、モデムまたはアダプタを介してネットワーク３０と交信し、サーバ４０に一定の周期で要求コマンドを発行して最新のコンテンツを取得する。
また、２４時間３６５日の運用に耐えうるように開発され、電子ポスターの監視、電源のオン／オフ、自己診断処理、回線を通じての機能追加処理などが可能である。
あるいは、このような専用パソコンの他に、一般の汎用パソコンを使用してもよい。
ネットワーク３０は、インターネットをはじめ、一般の電話網を利用した仮想私設網（ＶＰＮ）、専用線を利用した私設網（ＰＮ）、ＩＰアドレスを利用したＩＰ網、ＴＶ放送網などで構成し、通信手段として一般の電話回線、無線回線、ＣＡＴＶケーブル、テレビの文字・データ放送電波、ＦＭ文字多重放送電波などを利用する。
サーバ４０は、画像や文字情報を格納して表示装置１０にコンテンツを配信する配信サーバ４１と、各種の管理情報を格納してシステムの運用を管理する管理サーバ４２で構成する。
配信サーバ４１は、広告を依頼する広告主Ａ１、広告の仲介・企画・立案を行う広告代理店Ａ２、実際に広告を製作する広告制作会社Ａ３、コンテンツを有償で供給するコンテンツ供給業者Ａ４、その他公的機関Ａ５などのサーバと連携し、ファイル転送プロトコル（ＦＴＰ）あるいは電子メールなどを通して送られてきた画像や文字情報をデータベースに蓄積する。
あるいは、ポータルサイトを設置して各サイトのホームページを配信サーバ４１に直接リンクさせてもよい。
管理サーバ４２は、以下に述べるような機能を備える。
電源管理機能は、表示装置１０とパソコン２０の電源のオン／オフと起動／停止／リセットを遠隔操作し、赤外線センサなどを設置して周りに人がいないときは電源をオフにし、人の声などで再度電源を投入する。
稼動状況監視機能は、モニタ画面を通して表示装置１０の稼動状況を遠隔監視する。
コールセンタ接続機能は、電話や電子メールなどによる利用者の問い合わせをコールセンタに接続する。
携帯電話接続機能は、利用者の携帯電話に電子ポスター利用の操作メニューを配信する。
スケジュール管理機能は、表示装置１０毎のコンテンツとスケジュールを個別に管理する。
これにより、場所によって異なるコンテンツを掲示したり、時間帯によって個々のコンテンツの掲示時間を長くしたり、短くすることができる。
コンテンツ監視機能は、表示装置１０に掲示するコンテンツ内容を事前に審査する。
著作権管理機能は、著作料を支払う義務のあるコンテンツの掲示回数などを個別に管理する。
予約管理機能は、電子ポスターの空き状況をホームページに掲載して広告主Ａ１からの予約を受付ける。
コンテンツ配信機能は、利用者の要望に応じてコンテンツのコピーをＦＡＸやプリンタを介して配信したり、音声および文字や画像などの情報を利用者の携帯電話に配信する。
利用者コンテンツ掲示機能は、利用者が配信したコンテンツを受信して利用者が指定した表示装置１０に掲示する。
ログ取得機能は、課金／配信／掲示ログなどを取得して課金管理と運用状況の把握を行う。
音声応答機能は、利用者の問い合わせに対するガイダンスやメッセージを音声で応答する。
視聴率測定機能は、例えば表示装置１０にセンサを取り付けて人の存在を検出し、何人の人がどのくらいの時間そこにいたかなどを測定する方法が考えられ、テレビ視聴率とは違う方法で表示装置１０毎の視聴率を測定する。
本発明を実施した電子ポスターシステムは以上のような構成で、電子ポスターを媒体にして企業のプロモーション支援サービス、閲覧者への情報提供サービス、特定利用者への情報提供サービス、特定利用者への私的利用サービス、公的機関の広報支援サービスなどを行う。
企業のプロモーション支援サービスは、場所、期間、時間帯、時間数などを事前に設定して契約企業の広告画像を電子ポスターに掲示する。
期間は、期単位、月単位、週単位、日単位など木目細かく設定できる。
広告料は、場所、時間帯、時間数などによって料金が異なり、あらかじめ広告代理店Ａ２が決定する。
広告料収入は、この他、バナー広告の掲載料、電子ポスター本体に取り付ける広告の表示料などがある。
広告画像は、あらかじめ設定したスケジュールに沿って掲示する場合と、利用者がダイレクトに呼出す場合がある。
ダイレクトに呼出す場合は、利用者がキー入力装置２１、リモコン装置２５、携帯電話８０などを操作して表示装置１０の番号と情報番号を指定する。
あるいは、表示装置１０の傍に置いた名刺やカタログにバーコードを印刷し、これをバーコードリーダ２２で読み取って表示装置１０の番号と情報番号を指定してもよい。
スケジュールは、利用者の呼出しが多い広告画像を優先的に掲示したり、時間を長くするなど、自己学習機能を取り入れた効果的な設定方法が考えられる。
掲示方法は、画面を分割して１画面に複数のコンテンツを同時に掲示する方法と、画面をオーバラップさせて複数のコンテンツを同時に掲示する方法がある。
また、静止画や動画および文字を混在させて掲示し、文字は上下左右に流れるように表示することもできる。
また、緊急情報などの割込み表示や、スピーカ２６を介して音楽や音声を出力することも可能である。
また、表示装置１０は縦置き、横置きのいずれも可能で、設置方向に合わせて画像の縦横を変更できる。
広告主Ａ１は、ホームページで電子ポスターの空き状況を検索し、場所、時間などを選択して広告代理店Ａ２に広告を依頼する。
広告画像の制作は、広告主Ａ１が自主制作するか、広告代理店Ａ２に依頼して行うが、ホームページで入札の仕組みを構築しておけば、直接広告制作会社Ａ３に依頼することもできる。
また、広告画像の制作と更新は、全てネットワーク３０上で行うため分散開発が可能で、全国の広告制作会社Ａ３が分担して制作を請負える可能性もある。
広告画像は、ホームページと同様の手続きで制作できるので、制作コストを大幅に低減でき、また、既存のホームページをそのままリンクして電子ポスターに掲示することもできる。
閲覧者への情報提供サービスは、ニュース、天気予報、株価、為替、競馬速報などの情報を視聴率アップのために電子ポスターの閲覧者に無償で提供するもので、コンテンツ自体は商品とならないが閲覧者が増えることを前提に広告宣伝費という名目でコンテンツ供給業者Ａ４に情報料を支払う。
特定利用者への情報提供サービスは、時刻表、行き先案内、グルメ案内、観光案内、行事案内などの情報を利用者の求めに応じて提供するもので、地図情報など一部のコンテンツを商品とし、利用者から料金を徴収してコンテンツ供給業者Ａ４に情報料を支払う。
また、提供情報のプリントサービスを有償で行い、料金を電子ポスターの広告料収入の一部に算入する。
料金は、料金箱２４に投入して直接徴収するか、携帯電話８０の通信事業者が代行徴収する。
利用方法は、例えば行き先案内の場合、利用者の携帯電話８０を電子ポスターのサイトに接続し、メニュー画面を呼出して表示装置１０の番号と行き先の電話番号あるいは郵便番号、住所、地名、建物名、会社名、氏名、緯度・経度などを指定する。
これにより、表示装置１０に指定した行き先の案内地図と道順や所要時間が表示される。
ここで印刷を指示すると、プリンタ２２に行き先案内のコピーが出力される。
キー入力装置２１あるいはリモコン装置２５を使用する場合は、表示装置１０に行き先案内のメニュー画面を呼出して操作する。
特定利用者への私的利用サービスは、利用者が携帯電話８０などから発信した電子メールなどの情報をサーバ４０が受信して表示装置１０に掲示するもので、電子ポスターを特定の利用者が伝言板や掲示板あるいは三行広告などの媒体として利用するものである。
また、携帯電話８０やＰＤＡなどの携帯情報端末にダウンロードした映像などの情報を電子ポスターに表示することもできる。
これにより、携帯電話８０でチケット予約した映画の予告などを電子ポスターに表示して迫力のある映像を楽しむことができる。
公的機関の広報支援サービスは、国や地方自治体が公共広告や地域住民への情報提供を目的として電子ポスターを利用するもので、災害発生や選挙速報などの緊急情報の場合は現在掲示している広告画像にオーバラップさせてそれらを割込み表示する。
産業上の利用可能性
以上説明したように、本発明の電子ポスターシステムは、コンピュータ制御の表示装置にネットワークを介してサーバを接続し、この表示装置を広告・宣伝のマスメディアとして不特定多数の閲覧者にさまざまなコンテンツを時間別に掲示する。
従って、本発明によれば、デジタルコンテンツを掲示するので、ホームページと同じ手軽さでコンテンツが制作でき、従来に比べて制作に要する時間と費用を低減できる。
また、印刷して貼紙する必要がなくなるので、その分の時間とコストを削減できる。
また、広告の企画から掲載までの時間が大幅に短縮するので、よりタイムリーな広告をうつことができる。
また、ネットワークを介して多くのコンテンツ制作者の協力が得られるので、制作を分担させて制作日数を短縮したり、優れたコンテンツを広く募集したり、競争入札させて制作コストを引き下げることもできる。
また、時間別にさまざまなコンテンツが次々に掲示されるので、閲覧者の興味を誘って長時間のアイキャッチが可能になる。
また、同じ車の広告でも日が経つにつれて色を変えたり背景を変えるなどして閲覧者の興味を長期間にわたって継続させることができる。
また、コンテンツを交換するときは、一般にエフェクトと呼ばれるテクニックを使うことにより、閲覧者の注目をさらに集めることができる。
また、本発明の電子ポスターシステムは、画面を分割あるいはオーバラップさせて複数のコンテンツを同時に掲示する。
従って、本発明によれば、１画面にさまざまな分野のコンテンツが同時に掲示されるので、興味対象者の数が増えて視聴される確率が高まる。
また、広告画像に重ねてニュースなどのテロップを流せば閲覧者の関心が高まって視聴率がアップする。
また、本発明の電子ポスターシステムは、掲示すべきコンテンツあるいはそのスケジュールを装置別に割当てる。
従って、本発明によれば、例えば山手線の各駅に異なるコンテンツを掲示して地域に限定した広告をうてるようになる。
また、電車の運行に合わせてスケジュールを組むことにより、待ち時間の長い期間帯では比較的ゆっくりコンテンツを交換したり、待ち時間の短い期間帯では頻繁に交換するなどができるようになる。
また、本発明の電子ポスターシステムは、利用者の指定したコンテンツを呼出して掲示する。
従って、本発明によれば、例えば同じ車の広告でも利用者の興味のある車種を選んで掲示させたり、利用者の好きなタレントや背景などを選んで掲示させたりすることができるようになる。
また、本発明の電子ポスターシステムは、コンテンツのコピーを印刷する。
従って、本発明によれば、例えば時刻表や案内地図などを呼出して掲示させたとき、コンテンツのコピーを印刷すれば、それを手に持って歩きながら見ることができる。
また、本発明の電子ポスターシステムは、利用者の配信したコンテンツを掲示する。
従って、本発明によれば、例えば町内会のお知らせやペット探しなどその地域に密着したプライベートな利用ができるようになり、伝言板や掲示板、あるいは三行広告媒体として利用範囲が広がる。
また、本発明の電子ポスターシステムは、利用者の情報端末に音声を配信する。
従って、本発明によれば、通常、いろいろな制約があるため電子ポスターに音は出さないが、広告によって音声や音楽が必要であれば、これを利用者の携帯電話に配信してコンテンツを見ながら音を聴けるようにする。
これにより、視聴者により強い印象と興味を与えることができる。
また、本発明の電子ポスターシステムは、利用料の課金手段を備える。
従って、本発明によれば、電子ポスターを各種の有償コンテンツの販売ツールとして活用することもできる。
【図面の簡単な説明】
図１は、本発明を実施した電子ポスターシステムの構成図である。
【図１】
2002005250.tif 000003
【国際調査報告】
2002005250.tif 000004
2002005250.tif 000005
2002005250.tif 000006